(57)【要約】  蹄叉腐爛状態に対する馬蹄の保護が、馬の蹄底面壁上にウレタン樹脂などの有機合成樹脂を堆積させることにより得られる。この樹脂の硬化を妨害しない薬物が、蹄壁との接触を続けるために、樹脂中に分散されている。この樹脂は、適切に空間に自由に流動し、蹄底面壁の輪郭に一致し、硬化された時壁に接着する。樹脂による保護は、蹄壁よりも弾性があり、柔軟であり、かつ衝撃に対して蹄をクッションで支えるように作用する。【特許請求の範囲】
【請求項１】
蹄叉腐爛状態になった動物の蹄を処置する方法であって、異物が付着した蹄底面壁を洗浄すること、接着性かつ速硬化性の有機合成樹脂組成物を前記蹄底面壁上に堆積させること、その際に有機合成樹脂組成物が、樹脂及び蹄底面壁に接触し続けるために全体に分散された、前記樹脂組成物の硬化を妨害しない金属イオンドナーを含有する少量かつ有効量の抗菌剤を含むものとすること、前記樹脂組成物を前記蹄底面壁の輪郭に一致するように自由に流動する粘度に保持すること、その後に前記樹脂組成物を前記蹄底面壁上で、インシチューで固体に硬化させること、及び処置の有効期間後に前記硬化樹脂の固体を除去することを含む治療方法。
【請求項２】
前記処置期間中に、前記蹄底面壁上に、前記硬化樹脂組成物の固体を用いて、前記蹄叉腐爛状態に対して水分侵入防止シールすることを併せて含む請求項１に記載の方法。
【請求項３】
前記抗菌剤として銅イオンドナーを選択することを併せて含む請求項１に記載の方法。
【請求項４】
前記銅イオンドナーとして水和型硫酸銅を選択することを併せて含む請求項３に記載の方法。
【請求項５】
前記樹脂組成物としてウレタン樹脂を選択することを併せて含む請求項１に記載の方法。
【請求項６】
蹄叉腐爛状態になった馬の蹄を処置する方法であって、異物が付着した蹄底面の壁を洗浄すること、接着性かつ速硬化性の有機合成樹脂組成物を前記蹄底面壁の上に堆積させること、その際に有機合成樹脂組成物が、樹脂及び蹄底面壁に接触し続けるために全体に分散された、前記樹脂組成物の硬化を妨害しない金属イオンドナーを含有する少量かつ有効量の抗菌剤を含むものとすること、前記樹脂組成物を前記蹄底面壁の輪郭に一致するように自由に流動する粘度に保持すること、その後に、壁に接着する関係で、前記樹脂組成物を前記蹄底面壁上で、インシチューで固体に硬化させること、及び処置の有効期間後に前記硬化樹脂の固体を除去することを含む方法。
【請求項７】
前記処置期間中に、前記蹄底面壁上に、前記硬化樹脂組成物の固体で、前記蹄叉腐爛状態に対して水分侵入防止シールすることを併せて含む請求項６に記載の方法。
【請求項８】
前記抗菌剤として銅イオンドナーを選択することを併せて含む請求項６に記載の方法。
【請求項９】
前記銅イオンドナーとして水和型硫酸銅を選択することを併せて含む請求項８に記載の方法。
【請求項１０】
前記樹脂組成物としてウレタン樹脂を選択することを併せて含む請求項６に記載の方法。
【請求項１１】
蹄叉腐爛の馬の蹄を処置する方法であって、異物が付着した蹄底面の壁を洗浄すること、接着性かつ速硬化性の有機合成樹脂組成物を前記蹄底面壁上に堆積させること、その際に有機合成樹脂組成物が、樹脂及び壁に接触するために全体に分散された、前記樹脂組成物の硬化を妨害しない銅塩を含有する少量かつ有効量の蹄叉腐爛薬物を含むものとすること、前記樹脂組成物が硬化前に前記蹄底面壁の輪郭に一致するように自由に流動する粘度を有するものとすること、前記樹脂を前記蹄底面壁上で、インシチューで固体に硬化させること、及び処置の有効期間後に前記硬化樹脂を除去することを含む方法。
【請求項１２】
蹄叉腐爛の馬の蹄を処置する方法であって、異物が付着した蹄底面壁を洗浄すること、接着性かつ速硬化性の有機合成樹脂組成物を前記蹄底面壁上に堆積させること、その際に有機合成樹脂組成物が、樹脂及び壁に接触するために全体に分散された、前記樹脂組成物の硬化を妨害しない銅塩を含有する少量かつ有効量の蹄叉腐爛薬物を含むものとすること、前記樹脂組成物が硬化前に前記蹄底面壁の輪郭に一致するように自由に流動する粘度を有するものとすること、前記樹脂を前記蹄底面壁上で、インシチューで固体に硬化させること、及び処置の有効期間後に前記硬化樹脂を除去することを含む方法。
【請求項１３】
前記薬物として硫酸銅を選択することを併せて含む請求項１２に記載の方法。
【請求項１４】
前記薬物として水和型硫酸銅を選択することを併せて含む請求項１３に記載の方法。
【請求項１５】
前記薬物として硫酸銅五水塩を選択することを併せて含む請求項１４に記載の方法。
【請求項１６】
前記少量かつ有効量の薬物として、前記樹脂組成物中に０．５から５重量％の前記銅塩を分散させることを併せて含む請求項１２に記載の方法。
【請求項１７】
前記少量かつ有効量の薬物として、約１〜３重量％の前記銅塩を分散させることを併せて含む請求項１２に記載の方法。
【請求項１８】
前記樹脂として二成分樹脂を選択し、かつ前記二樹脂成分を混合した時に前記薬物が前記樹脂組成物に分散されるように、前記薬物を前記樹脂の一成分中に組み込むことを併せて含む請求項１７に記載の方法。
【請求項１９】
前記樹脂として二成分樹脂を選択し、かつ前記二樹脂成分を混合した時に前記薬物が前記樹脂組成物に分散されるように、前記薬物を前記樹脂の一成分中に組み込むことを併せて含む請求項１２に記載の方法。
【請求項２０】
前記薬物として硫酸銅五水塩を選択することを併せて含む請求項１９に記載の方法。
【請求項２１】
前記薬物として硫酸銅五水塩を選択することを併せて含む請求項１２に記載の方法。
【請求項２２】
蹄叉腐爛の馬の蹄を処置する方法であって、異物が付着した蹄底面壁を洗浄すること、接着性かつ速硬化性のウレタン樹脂組成物を前記蹄底面壁の上に堆積させること、その際にウレタン樹脂組成物が、ウレタン樹脂前駆体の成分Ａ及び成分Ｂ、並びに少なくとも一成分に分散された、前記前駆体を混合する時に前記樹脂成分の硬化を妨害しない銅塩を含有する少量かつ有効量の蹄叉腐爛薬物を含むものとすること、前記樹脂組成物が硬化前に前記蹄底面壁の輪郭に一致するように自由に流動する粘度を有するものとすること、壁に接触するように前記薬物とともに前記樹脂を、前記蹄底面壁中で、インシチューで固体に硬化させること、並びに処置の有効期間後に前記硬化樹脂及び薬物を除去することを含む方法。
【請求項２３】
前記薬物として硫酸銅を選択することを併せて含む請求項２２に記載の方法。
【請求項２４】
前記薬物として水和型硫酸銅を選択することを併せて含む請求項２３に記載の方法。
【請求項２５】
前記薬物として硫酸銅五水塩を選択することを併せて含む請求項２４に記載の方法。
【請求項２６】
前記少量かつ有効量の薬物として、前記樹脂組成物中に約０．５から約５重量％の前記銅塩薬物を分散させることを併せて含む請求項２５に記載の方法。
【請求項２７】
前記少量かつ有効量の薬物として、約１〜３重量％の前記銅塩薬物を分散させることを併せて含む請求項２６に記載の方法。
【請求項２８】
前記樹脂成分Ａ及びＢを混合した時に前記薬物が前記樹脂組成物に分散されるように、前記銅薬物を前記樹脂の成分Ｂに組み込むことを併せて含む請求項２７に記載の方法。
【請求項２９】
前記銅薬物として硫酸銅五水塩を選択することを併せて含む請求項２８に記載の方法。
【請求項３０】
別々のカートリッジから供給された前記樹脂成分Ａ及びＢを単一の混合チップで混合し、得られた樹脂組成物を前記蹄底面壁上に堆積させることを併せて含む請求項２９に記載の方法。
【請求項３１】
前記蹄底面壁を覆う少なくとも部分的に閉ざされた容積を定めること、及び前記蹄底面壁を基準とする前記容積中に前記樹脂組成物を堆積させることを併せて含む請求項３０に記載の方法。
【請求項３２】
水分を排除する関係で、前記蹄底面壁に前記ウレタン樹脂組成物を自己接着させることを併せて含む請求項３１に記載の方法。
【請求項３３】
蹄内の組成物を硬化させるための水分抑制に反して、前記ウレタン樹脂組成物内で吸湿量の前記銅塩を維持することを併せて含む請求項３２に記載の方法。
【請求項３４】
別々のカートリッジから供給された前記樹脂成分Ａ及びＢを単一の混合チップで混合し、得られた樹脂組成物を前記蹄底面壁上に堆積させることを併せて含む請求項２２に記載の方法。
【請求項３５】
前記蹄底面壁を覆う少なくとも部分的に閉ざされた容積を定めること、及び前記蹄底面壁を基準とする前記容積中に前記樹脂組成物を堆積させることを併せて含む請求項３０に記載の方法。
【請求項３６】
通常、水分反応性のウレタン樹脂組成物で蹄叉腐爛の馬の蹄を処置する方法であって、壁接着性かつ速硬化性のウレタン樹脂組成物を前記蹄底面壁上に堆積させること、その際にウレタン樹脂組成物が二成分ウレタン樹脂前駆体、並びに蹄底面壁と接触のために少なくとも一成分に分散された、前記ウレタン樹脂組成物の水分反応に対して吸湿性であり、かつ前記前駆体を混合する時に前記樹脂組成物の硬化を妨害しない蹄叉腐爛薬物を含有する、少量かつ有効量の補助剤を含有するものとすること、前記樹脂組成物が硬化前に前記蹄底面壁の輪郭に一致するように自由に流動する粘度を有すること、並びに前記樹脂を前記蹄底面壁上で、インシチューで固体に硬化させることを含む方法。
【請求項３７】
前記補助剤として硫酸銅を選択することを併せて含む請求項３６に記載の方法。
【請求項３８】
蹄叉腐爛の、蹄底面壁を有する馬の蹄を処置する方法であって、一対のカートリッジから静的ミキサーに供給される別々の反応性ウレタン樹脂前駆体を混合すること、前記混合時に前記前駆体の一つに有効量の蹄叉腐爛薬物を保持すること、前記前駆体から、前記蹄底面壁を覆うために適した量の、速硬化性ウレタン樹脂を形成させること、前記ウレタン樹脂を前記蹄底面壁の輪郭に一致させること、前記ウレタン樹脂をインシチューで硬化させること、並びに、その後に前記ウレタン樹脂及び薬物を除去することを含む方法。
【請求項３９】
蹄叉腐爛を処置した馬の蹄であって、蹄底面壁を有する蹄、及び壁との接触を続けるために全体に分散させた、前記蹄底面壁に一致し、かつそれに接着した、少量かつ治療的に有効量の抗蹄叉腐爛薬物を含有する固体有機合成樹脂組成物を含む馬の蹄。
【請求項４０】
前記薬物が硫酸銅を含む請求項３９に記載の処置した蹄。
【請求項４１】
前記硫酸銅が、水和型硫酸銅を含む請求項４０に記載の処置した蹄。
【請求項４２】
前記水和型硫酸銅が、硫酸銅五水塩を含む請求項４１に記載の処置した蹄。
【請求項４３】
前記樹脂組成物が０．５から５重量％の前記薬物を含む請求項３９に記載の処置した蹄。
【請求項４４】
前記樹脂組成物がウレタン樹脂組成物であり、前記薬物が水和型硫酸銅を含み、かつ約１〜３重量％の前記組成物を含む請求項４３に記載の治療した蹄。
【請求項４５】
蹄底面壁を有する馬の蹄に適用する蹄叉腐爛の治療剤であって、蹄底面壁との接触を続けるために全体に分散させた、少量かつ治療的に有効量の抗蹄叉腐爛薬物を含有し、かつ前記蹄底面壁に一致させ、かつ接着させる有機合成樹脂組成物を含む処置剤。
【請求項４６】
前記薬物が、硫酸銅を含み、かつ前記処置剤中に約０．５から５重量％の少量かつ治療的に有効量で存在する請求項４５に記載の蹄叉腐爛処置剤。
【請求項４７】
前記硫酸銅が、水和型硫酸銅を含む請求項４６に記載の蹄叉腐爛処置剤。
【請求項４８】
前記水和硫酸銅が、硫酸銅五水塩を含み、かつ前記処置剤中に約１〜３重量％の少量かつ治療的に有効量で存在する請求項４７に記載の蹄叉腐爛処置剤。
【請求項４９】
蹄叉腐爛を処置する製品であって、混合時に反応して有機合成樹脂になる別々の前駆体、少量かつ有効量の抗蹄叉腐爛薬物を含む一つの前記前駆体、並びに馬の蹄底面壁に隣接して、前記前駆体及び前記薬物を均一に混合して、接着関係で底面壁の表面に実質的に一致し、かつその間隙を実質的に充填するために適した粘度を提供する混合体系を含む製品。
【請求項５０】
前記抗蹄叉腐爛薬物が硫酸銅を含む請求項４９に記載の蹄叉腐爛を処置する製品。
【請求項５１】
前記硫酸銅が水和型硫酸銅を含む請求項５０に記載の蹄叉腐爛を処置する製品。
【請求項５２】
前記水和硫酸銅が、硫酸銅五水塩を含む請求項５１に記載の蹄叉腐爛を処置する製品。
【請求項５３】
前記薬物が、０．５から５重量％の一緒に処理される前記別々の反応性前駆体を含む請求項４６に記載の蹄叉腐爛を処置する製品。
【請求項５１】
前記薬物が硫酸銅を含み、かつ約０．５から５重量％で存在する請求項５０に記載の蹄叉腐爛を処置する製品。
【請求項５２】
前記硫酸銅が水和型硫酸銅を含む請求項５１に記載の蹄叉腐爛を処置する製品。
【請求項５３】
前記水和硫酸銅が、硫酸銅五水塩を含み、かつ約１〜３重量％の量で存在する請求項５２に記載の蹄叉腐爛を処置する製品。
【請求項５４】
蹄叉腐爛を処置するシステムであって、反応比率で混合される別々にパッケージされた樹脂前駆体、及び前記前駆体の反応を妨害しない少量かつ治療的に有効量の抗蹄叉腐爛薬物であって、予備混合の関係で前駆体に分散された薬物を有するシステム。
【請求項５５】
前記抗蹄叉腐爛薬物が硫酸銅を含む請求項５４に記載の蹄叉腐爛を処置するシステム。
【請求項５６】
前記硫酸銅が水和型硫酸銅を含む請求項５５に記載の蹄叉腐爛を処置するシステム。
【請求項５７】
前記水和硫酸銅が硫酸銅五水塩を含む請求項５６に記載の蹄叉腐爛を処置するシステム。
【請求項５８】
前記薬物が、０．５から５重量％の一緒に処理される前記別々の反応性前駆体を含む請求項５４に記載の蹄叉腐爛を処置するシステム。
【請求項５９】
前記薬物が、硫酸銅を含み、かつ約０．５から５重量％で存在する請求項５４に記載の蹄叉腐爛を処置するシステム。
【請求項６０】
前記硫酸銅が水和型硫酸銅を含む請求項５９に記載の蹄叉腐爛を処置するシステム。
【請求項６１】
水和硫酸銅が、硫酸銅五水塩を含み、かつ約１〜３重量％の量で存在する請求項６０に記載の蹄叉腐爛を処置するシステム。
【請求項６２】
以下のサイドＡ及びサイドＢ前駆体の反応製品を含む蹄叉腐爛を処置する組成物。
【表１】
2008538528.tif 000003
【発明の詳細な説明】
【技術分野】
【０００１】
本発明は、接着性樹脂マトリックス中の処置薬物（ｔｒｅａｔｉｎｇ  ｍｅａｄｉｃａｍｅｎｔ）を持続的に適用することによる、動物の微生物防止処理のための方法及び組成物に関係し、かつより具体的には、馬の蹄の蹄叉腐爛（ｔｈｒｕｓｈ）状態、及び別の被害動物の類似の状態を軽減することに関係する。本発明は、新システムの提供により蹄に対して治療薬物（ｔｈｅｒａｐｅｕｔｉｃ  ｍｅｄｉｃａｍｅｎｔ）の送達を改良することに関系するもので、このシステムは、治療薬（ｔｈｅｒａｐｅｕｔｉｃ  ａｇｅｎｔ）を蹄に運ぶだけでなく、治療薬を処置部位近傍の壁に接着させることにより、ほぼ一定の投与量で、所望する限りにおいて、蹄底面壁（ｈｏｏｆ  ｂｏｔｔｏｍ  ｗａｌｌ）などの患部に薬用量を保持する。本発明の方法、組成物、及び製品は、治療薬を改変しかつ接着性を改良した馬蹄充填剤組成物、このような充填剤による蹄叉腐爛状態の馬蹄の処置（ｔｒｅａｔｍｅｎｔ）、及び処置された蹄を含む。
【背景技術】
【０００２】
通常の馬の医療では、皮革、プラスチック又はゴム製のウエブ又はパッドが、蹄縁壁（ｈｏｏｆ  ｅｄｇｅ  ｗａｌｌ）に固着され、かつ蹄足裏（ｈｏｏｆ  ｓｏｌｅ）にわたって伸長され、蹄の蹄叉部分（ｆｒｏｇ  ｐｏｒｔｉｏｎ）を被覆する大きさに作られ、例えば蹄鉄（ｈｏｒｓｅｓｈｏｅ）と蹄縁壁の間に挿入されて、蹄の敏感な領域を保護する。時折、水分及び異物（ｄｅｂｒｉｓ）が、蹄底面壁（足裏及び蹄叉を含む）と蹄周辺部分によって広く限定された蹄開放容積に侵入して、動物に不快感又は障害を与える原因になる。異物侵入に対抗して容積を充填する努力は、樹脂を含む充填剤を足裏に加えて、ウエブ又はパッドで被覆することを含んでいた。Ｖｅｔｔｅｃ社のＥＱＵＩ−ＰＡＫ（登録商標）蹄充填剤製品が導入されるまでは、これらの処置は成功しなかった。その理由は、その他の樹脂の取り扱いの難しさ、馬の蹄容積に充填し易さに対して影響を及ぼす過剰な粘度、継続される樹脂の粘着性、容積中の全ての間隙又は気孔を充填できないこと、水分蓄積の場所を残していること、樹脂の不適当な最終的硬度、及びここで特に妥当なこととして、その他の樹脂が蹄の蹄叉を被覆するために用いるウエブに接着せずに、樹脂本体とウエブ又はパッドとの間に間隙を残し、有害な異物の侵入を許したからであった。ＥＱＵＩ−ＰＡＫ（登録商標）蹄充填剤製品は、間隙を容易に充填するために初期は自由流動性であるが、秒単位の速硬化性であり、一定の柔軟性をもち、非気孔性であり、蹄壁に接着し、透明であり、かつ保護パッドを用い又は用いることなく適用可能であった。
【０００３】
蹄叉腐爛は、馬の蹄では最も普遍的な感染病である。それは、不潔な状態に拘束されることが原因になる可能性があり、蹄叉の微生物感染として一般的に説明されている。蹄叉腐爛は、蹄叉にコロニーを作り、蹄叉及び周辺組織を徐々に分解する多数の細菌、藻類、カビ、酵母、及び菌からなる微生物の「スープ」である。この感染症は、通常、生命を脅かすものではないが、感染した蹄が炎症を起こす原因になる恐れがあり、跛行（ｌａｍｅｎｅｓｓ）を起こす可能性がある。感染の物理的症状は、腐敗した有機物の不快臭と合わさった、粘々した黒色分泌物である。
【０００４】
多くの場合、蹄叉腐爛状態の存在は、馬の生活状態の改善により消滅可能である。清潔、乾燥で、尿及び肥料の無い居住区域、並びに開放的放牧地で過ごす時間が、通常、この状態を解決するであろう。しかし、時々、天候及びその他の環境が、これらの理想的生活状態の可能性を制限し、蹄叉腐爛が問題になる。このような場合、市販の治療薬（ｒｅｍｅｄｙ）による処置が示される。硫酸銅のような銅イオン源を含む、多くの医薬及び技術に基づく治療薬が、蹄叉腐爛用に知られている。硫酸銅のような銅塩及び銅化合物は、一般的に、殺藻剤及び殺菌剤を含む微生物防止処理として長期に亘り用いられた。
【発明の開示】
【発明が解決しようとする課題】
【０００５】
この分野では、ユーザーは、ＥＱＵＩ−ＰＡＫ（登録商標）及びその他の蹄充填剤製品を抗蹄叉腐爛薬物治療のトップに据えていたが、抗菌剤の存在が、（水分排除に対して）重要な、充填剤製品の接着特性を低減する可能性があり、同時に蹄叉腐爛状態を解決しようとするものであったが、水分に対して新規な場所を提供し、かつ蹄叉腐爛を活発にする故に、これらは、ＥＱＵＩ−ＰＡＫ（登録商標）蹄充填剤製品の幾つかの望ましい特性を失わせることになった。
【０００６】
したがって、有蹄動物、特に馬の健康を改善するための方法、組成物、及び製品を提供することが、本発明の目的である。薬物を材料の本体に組み込み、これを患部に当てて保持し、この薬物で馬蹄の蹄叉腐爛状態を処置する方法を提供することが、本発明の更なる目的である。更に薬物としても機能する吸湿性補助剤により水分の物的要素を除去することが、別の目的である。薬物を収容した流動樹脂を、一つの容器から、又は蹄充填材料として、別々の反応性前駆体成分及び薬物を含有する複式カートリッジから、患部に堆積させることが更なる目的である。粒状の薬物、典型的には硫酸塩と均質に混合された蹄充填材料を蹄に施した蹄叉腐爛を処置した馬の蹄を提供することが別の目的であり、その際この薬物は、移行し、滲出し、析出し、又はさもなければ、蹄底面壁と蹄充填材料の界面に出現して、蹄充填材料と蹄底面壁の間の接着を妨害することなく蹄叉腐爛を処置する。有機合成樹脂マトリックス、及びその中に分散した、少量かつ治療的に有効量の抗蹄叉腐爛薬物を用いた蹄叉腐爛処置剤、及び製品を提供することが更なる目的であり、その際、抗蹄叉腐爛薬物は約０．５から約５重量％、好ましくは１から３重量％で用いる水和型硫酸銅などであり、樹脂マトリックスは典型的には、アクリル、エポキシ、ポリ硫化物、又はシリコーン樹脂、及び好ましくはウレタン樹脂であり、蹄叉腐爛状態に近接して作用するように蹄底面壁に一致させる。反応する比率で混合される別々にパッケージされた樹脂前駆体、及び治療薬を含有する蹄叉腐爛を処置するシステムを提供することが別の目的であり、その際この治療薬は、量及び性質の点で、前駆体の反応を妨害しない、又は蹄底面壁を被覆するように蹄底面壁に樹脂製品が結合することを妨害することがなく、かつ治療薬は、予備混合の関係で前駆体に分散されている。更に広範には、本発明の目的は、容易かつ即座に蹄底面壁上の蹄容積及び壁の間隙に流入し、ほぼ即座に堅固にして幾分弾性のある素材に硬化して、素材の逸失又は異物の侵入に対抗するように蹄容積壁に接着する充填方法及び組成物を含む、薬剤治療した蹄処置法を提供することを含む。
【課題を解決するための手段】
【０００７】
以下の本明細書で明らかになる本発明のこれらの目的及びその他の目的は、蹄叉腐爛状態の動物の蹄を処置する方法で理解される。この方法は、異物が付着した蹄底面壁を洗浄すること、接着性、速硬化性の有機合成樹脂組成物を蹄底面壁上に堆積させること、その際に有機合成樹脂組成物が、樹脂、及び蹄底面壁に接触し続けるために全体に分散された、樹脂組成物の硬化を妨害しない金属イオンドナーを含有する少量かつ有効量の抗菌剤を含むものとすること、樹脂組成物を蹄底面壁の輪郭に一致するように自由に流動する粘度に維持すること、その後に樹脂組成物を蹄底面壁上で、インシチューで固体に硬化させること、及び処置の有効期間後に硬化樹脂の固体を除去することを含む。
【０００８】
この実施形態及び同様の実施形態において、本発明は、処置期間に、硬化樹脂組成物の固体で、蹄底面壁の蹄叉腐爛状態をシールする水分侵入防止法を含み、抗菌剤として銅イオンドナーを選択すること、銅イオンドナーとして水和型硫酸銅を選択すること、及び樹脂組成物としてウレタン樹脂を選択することを更に含む。
【０００９】
更なる実施形態において、本発明は、蹄叉腐爛状態の馬の蹄を処置する方法であって、異物が付着した蹄底面壁を洗浄すること、接着性、速硬化性の有機合成樹脂組成物を蹄底面壁上に堆積させること、その際に有機合成樹脂組成物が、樹脂、及び蹄底面壁に接触し続けるために全体に分散された、樹脂組成物の硬化を妨害しない金属イオンドナーを含む少量かつ有効量の抗菌剤を含むものとすること、蹄底面壁の輪郭に一致するように自由に流動する粘度に樹脂組成物を維持すること、その後、樹脂組成物を蹄底面壁の上で、インシチューで固体に硬化させること、及び処置の有効期間後に硬化樹脂の固体を除去することを含む方法を含む。
【００１０】
この実施形態及び同様な実施形態において、典型的には、本発明は、処置期間に蹄底面壁上に硬化樹脂組成物の固体で蹄叉腐爛状態をシールする水分侵入防止法、抗菌剤として銅イオンドナーを選択すること、銅イオンドナーとして水和型硫酸銅を選択すること、及び樹脂組成物としてウレタン樹脂を選択することを更に含む。
【００１１】
更なる実施形態において、本発明は、蹄叉腐爛状態の馬の蹄を処置する方法であって、異物が付着した蹄底面壁を洗浄すること、接着性、速硬化性の有機合成樹脂組成物を蹄底面壁上に堆積させること、その際に有機合成樹脂組成物が、樹脂、及び蹄底面壁に接触し続けるために全体に分散された、樹脂組成物の硬化を妨害しない銅塩を含む少量かつ有効量の蹄叉腐爛薬物を含むものとすること、硬化前に、樹脂組成物が、蹄底面壁の輪郭に一致するように自由に流動する粘度を有すること、樹脂を蹄底面壁の上で、インシチューで固体に硬化させること、及び処置の有効期間後に硬化樹脂を除去することを含む方法を提供する。
【００１２】
この実施形態及び同様な実施形態において、典型的には、この方法は、薬物として硫酸銅を選択すること、薬物として水和型硫酸銅を選択すること、薬物として硫酸銅五水塩を選択すること、約０．５から約５重量％の銅塩薬物を樹脂組成物に分散させること、少量かつ有効量の薬物として約１から３重量％の銅塩を分散させること、樹脂として二成分（ｔｗｏ  ｐａｒｔ）式樹脂を選択すること、及び二樹脂成分を混合した時に樹脂組成物中に薬物が分散するように、樹脂の一成分中に薬物、例えば硫酸銅五水塩を組み込むことを含む。
【００１３】
更なる実施形態において、本発明は、蹄叉腐爛の馬蹄を処置する方法であって、異物が付着した蹄底面壁を洗浄すること、接着性、速硬化性のウレタン樹脂組成物を蹄底面壁上に堆積させること、その際このウレタン樹脂組成物が、ウレタン樹脂前駆体の成分Ａ（Ｐａｒｔ  Ａ）及び成分Ｂ（Ｐａｒｔ  Ｂ）、並びに壁接触のために、少なくとも一成分に分散された、前駆体を混合した時に樹脂組成物の硬化を妨害しない銅塩を含有する少量かつ有効量の蹄叉腐爛薬物を含むものとすること、この樹脂組成物が、硬化前に蹄底面壁の輪郭に一致するように自由に流動する粘度を有するものとすること、壁接触するように薬物とともに樹脂を、蹄底面壁中上で、インシチューで固体に硬化させること、並びに処置の有効期間後に硬化樹脂及び薬物を除去することを含む方法を提供する。
【００１４】
この実施形態及び同様な実施形態において、典型的には、本発明は、薬物として硫酸銅を選択すること、薬物として水和型硫酸銅を選択すること、薬物として硫酸銅五水塩を選択すること、少量かつ有効量の薬物として、約０．５から約５重量％、又は約１から３重量％の銅塩薬物を樹脂組成物に分散させること、樹脂成分Ａ及びＢを混合した時に樹脂組成物中に薬物が分散するように、樹脂成分Ｂ中に銅薬物、例えば硫酸銅五水塩を組み込むこと、別々のカートリッジから樹脂成分Ａ及びＢを組み合わせて単一混合チップに導くこと、及び得られた樹脂組成物を蹄底面壁上に堆積させること、蹄底面壁上に少なくとも部分的に閉鎖された容積を限定すること、及び蹄底面壁に対する容積に樹脂組成物を堆積させること、水分を排除する関係で、ウレタン樹脂組成物を蹄底面壁に自己接着させること、及び／又は蹄内組成物の硬化で水分忌避に逆らって、ウレタン樹脂組成物中に吸湿量の銅塩を保持することを更に含む。
【００１５】
更なる実施形態において、本発明は、通常水分反応性のウレタン樹脂組成物で蹄叉腐爛の馬の蹄を処置する方法であって、壁接着性かつ速硬化性のウレタン樹脂組成物を蹄底面壁上に堆積させること、その際にウレタン樹脂組成物が二成分ウレタン樹脂前駆体、並びに少なくとも一成分に分散された、ウレタン樹脂組成物の水分反応に対抗して吸湿性であり、かつ前駆体を混合する時に樹脂組成物の硬化を妨害しない蹄叉腐爛薬物を含有する、蹄底面壁に接触のための少量かつ有効量の補助剤を含むものとすること、樹脂組成物が硬化前に蹄底面壁の輪郭に一致するように自由に流動する粘度を有するものとすること、並びに樹脂を蹄底面壁上で、インシチューで固体に硬化させることを含む方法を提供する。
【００１６】
この実施形態及び同様な実施形態において、典型的には、本発明の方法は、補助剤として硫酸銅を選択することを更に含む。
【００１７】
更なる観点では、本発明は、蹄叉腐爛の、蹄底面壁を有する馬の蹄を処置する方法であって、一対のカートリッジから静的ミキサーに供給される別々の反応性ウレタン樹脂前駆体を混合すること、前駆体の混合時に前駆体の一つに有効量の蹄叉腐爛薬物を保持すること、前駆体から、蹄底面壁の被覆に適した量の、速硬化性ウレタン樹脂を形成させること、ウレタン樹脂を蹄底面壁の輪郭に一致させること、ウレタン樹脂をインシチューで硬化させること、並びにその後にウレタン樹脂及び薬物を除去することを含む方法を含む。
【００１８】
更なる観点では、本発明は、蹄叉腐爛を処置した馬の蹄であって、蹄底面壁を有する蹄、及び壁接触を続けるために全体に分散させた、その蹄底面壁に一致し、かつそれに接着した、少量かつ治療的に有効量の抗蹄叉腐爛薬物を含有する固体有機合成樹脂組成物を含む馬の蹄を提供することを含む。
【００１９】
この実施形態及び同様な実施形態において、本発明は、硫酸銅、例えば硫酸銅（第二銅）五水塩などの水和型硫酸銅、０．５から５重量％の薬物を含む樹脂組成物、及び水和型硫酸銅を含み、かつ組成物の約１から３重量％である薬物を含む。
【００２０】
本発明は、蹄底面壁をもつ馬の蹄に適用する蹄叉腐爛処置剤を含む実施形態を更に含み、この処置剤は、全体に分散した少量かつ治療的に有効量の抗蹄叉腐爛薬物を含有し、並びに蹄底面壁に一致しかつそれに接着した有機合成樹脂組成物を含んでいる。
【００２１】
この実施形態及び同様な実施形態において、典型的には、薬物は硫酸銅を含み、かつ処置剤組成物中に約０．５から５重量％存在する。この硫酸銅は、処置剤中に約１から３重量％の量で存在する硫酸銅五水塩などの水和型硫酸銅を含み、有機合成樹脂組成物は、ウレタン樹脂組成物である。
【００２２】
更なる本発明の実施形態は、蹄叉腐爛を処置する製品であって、混合時に反応して有機合成樹脂になる別々の前駆体、その際前駆体の一つが少量かつ有効量の抗蹄叉腐爛薬物を含むものとする、並びに馬の蹄底面壁に隣接して、前駆体及び薬物を均一に混合して、接着関係で底面壁の表面に実質的に一致し、かつその間隙を実質的に充填するために適した粘度を提供する混合体系を含む製品を含む。
【００２３】
この実施形態及び同様な実施形態において、典型的には、抗蹄叉腐爛薬物は、水和型硫酸銅、例えば硫酸銅五水塩などの、一緒に用いる別々の反応性前駆体中に０．５から５重量％を含む硫酸銅を含む。特に、硫酸銅は約１から３重量％の量で存在する硫酸銅五水などの、約０．５から５重量％存在する。
【００２４】
別の実施形態において、本発明は、蹄叉腐爛を処置するシステムであって、反応比率で混合される別々にパッケージされた樹脂前駆体、及び予備混合の関係で前駆体に分散された、前駆体の反応を妨害しない少量かつ治療的に有効量の抗蹄叉腐爛薬物を含有するシステムを提供する。
【００２５】
この実施形態及び同様な実施形態において、典型的には、抗蹄叉腐爛薬物は、水和型硫酸銅、例えば硫酸銅五水塩などの硫酸銅を含み、この薬物は、一緒に用いる別々の反応性成分中に０．５から５重量％を含み、かつ特に硫酸銅五水塩は、約１から３重量％の量で存在する。
【００２６】
本発明は、添付の図１に関連して更に説明される。唯一の図は、馬の蹄に薬物変性樹脂を適用した本発明の立面略図である。馬の蹄の図は、より一般的な水平図ではなく、縦配列で示した。
【００２７】
本発明は、単一の製品を含む簡単なシステムを提供するものであり、例えば、均質に分散された硫酸銅の抗菌特性と、蹄充填組成物などの許容された蹄底面壁被覆の蹄保護特性の組み合わせが、反応性及び最終特性に有害な添加された塩、並びに充填された樹脂と蹄底面壁の界面に硫酸塩が存在する時、以前から経験された接着性の損失があることに気付く蹄充填樹脂材料の脆弱な化学特性をもたらす両機能を驚異的に克服するシステムを提供する。
【００２８】
本発明の配合物は、微細に分割された、例えばウレタン系に懸濁する約１００ＵＳメッシュ未満の硫酸銅を、例えば必要に応じて助剤として約０．５〜２重量％のヒュームドシリカとともに含有するウレタン樹脂配合を含む。洗浄した、しかも蹄叉腐爛に感染した蹄に、薬物を含有する蹄充填材料を一段階で適用することは、蹄叉腐爛の処置において革命的である。本発明の配合物において、蹄／ウレタンの境界で、最小の、排出された、析出された、又はそうでなければ内部に存在する硫酸銅層は、接着を妨害するには不十分であり、しかも更なる微生物生育を抑制するには十分であって、したがって、蹄叉腐爛状態を治療する。更に、蹄底面壁に対し蹄充填材料を接着することが、流体の更なる移入を効果的に妨害し、より以上の水分侵入を抑制することにより、更なる蹄叉腐爛抑制機構を提供する。このようにして、本発明の方法及び製品を用いることにより、理想的な状態に達していなくとも、蹄叉腐爛の発生を抑制することができる。
【００２９】
予め堆積された硫酸銅粉末で処理された蹄上にウレタン蹄充填材料を単に適用することが、接着に不利益であるとする、以前の認識を仮定するならば、本発明の組成物が、標準的な、薬物非含有のウレタン組成物を超えて、蹄組織に対する接着を改善することは更に驚異である。如何なる特定の理論にも縛られることを望まないが、有機化学系から微量の水分を除去するために硫酸銅を使用することが知られているので、本発明のウレタン樹脂システムにおいても、硫酸銅が、存在する水分を除去するように機能する可能性がある。若しそうであるならば、被着体−ウレタン接着剤の界面からの水分除去が接着力を改善することは、知られたウレタン化学理論である。以下に引用する特許（本明細書に参考として援用する）で一層具体的に説明されるように、本発明のウレタンシステムは、化学的に乾燥している（微量の水分も存在しない）時、最良に機能することを十分に説明している、即ち安定であり、かつ最高の状態で性能を発揮する。このように、恐らく、ウレタン樹脂中に含有された吸湿性塩、例えば硫酸銅塩は、如何なる水とも反応して、ウレタンシステムの未反応前駆体試薬中に水が保留される機会を消滅させるに違いない。そこで、この塩は、予備混合され、二成分が反応してウレタン樹脂を生成する時、残留する水と更に反応し、かつ残留する水を消滅させ、並びに適用する点で蹄上に存在する水と最終的に更に反応して水を消滅させる。個々の水排除ステップは、製品性能を改善し、かつ蹄に対する接着力を改善することに役立つ。したがって、幾つかの観点で、本発明は、二成分ウレタンシステムの独特の特徴と例えば硫酸銅から来る抗菌性特性を組み合わせ、どちらも失うことは無い。硫酸銅薬物を本体に含有することは、二成分ウレタンシステムから、及びシステムが適用される基体から微量水の除去に更に役立ち、それによって、製品性能、接着力、及び蹄の保護力を改善し、一方で必要な点に直接的に有効な抗菌剤を分配する。
【００３０】
背景に拠れば、馬の蹄は、従来から、蹄の外側部位を形成する角質壁に蹄鉄を釘打ちして装蹄される。この角質壁内に、蹄の足裏及び蹄の敏感な蹄叉があり、一般的に本明細書では、合わせて及び別々に、蹄底面壁と呼ばれる。蹄のこれらの部位は、水分又はその他の形態の異物及び有害物との接触から受ける障害から保護されていない。この蹄の足裏を保護するために、蹄の足裏を横切って、通常は馬蹄又は馬蹄釘により支持されたウエブを付け加えることが習慣になっている。蹄底面壁により限定された開放容積が、適切な材料で充填されない限り、開放容積がウエブ下にあったとしても、この容積に異物の侵入が可能である。適切な材料は、容積内の全空間を充填し、気孔及び間隙を発生させないであろう。過去に、発泡樹脂が用いられたが、発泡樹脂は使用時に応力に耐えられず、異物、水分及び汚染物質の侵入を許している。その他の材料は固く、かつ加工が難しく、発泡システムと同様に蹄底面壁に接着せず、特に摩耗後すぐに、馬に不快かつ有害な異物の侵入を許している。本発明の樹脂は、ある使用期間後でも、蹄底面壁に適切に接着し、異物及び水分の侵入攻撃に対抗する固体の、非セルラー、無気孔の樹脂被覆体を提供する。本明細書における好ましい樹脂は、堆積可能であり、例えば、静的ミキサーを通して低粘度の反応性成分を導く、複式カートリッジ式ディスペンサーを用いて蹄底面壁上に注入可能である。それらの初期低粘度が容積全体に流動することを可能にし、かつ容積の引っ込んだ場所、裂け目、間隙及び気孔内に流動して、蹄壁上に出現することを可能にする。続いて、樹脂は硬化し、壁に接着し、気孔を無くし、かつ馬の足取りを和らげるために周辺の蹄より一層弾性があり、その一方で異物の侵入から蹄を保護する。
【００３１】
単一の図を参照して、かつ最初に、前記薬物により改質される樹脂状蹄充填材料を参照して、蹄１０が、釘１６により蹄壁１４に固定された蹄鉄１２により装蹄される。皮製、有機合成樹脂プラスチック製、又はゴム材料製のウエブ２０が、蹄足裏部１８を横切って広げられ、蹄鉄１２及び釘１６によりその場所に固定される。また、ウエブ２０は、接着剤、クランプなど任意の他の手段によって固定することもできる。本発明の樹脂素材は、蹄容積２２内で急速に粘度上昇し、蹄底面壁１９の足裏及び蹄叉部１８、３０に最終的接着をするので、本発明の樹脂素材に関してはウエブの使用は必ずしも必要ではない。
【００３２】
蹄の開放容積２２は、蹄足裏部１８及び蹄叉部３０を含む蹄底面壁１９により限定され、かつ蹄角質壁１４の左及び右部２４、２６の間に横方向に広がるウエブ２０により閉じられた開口部２３を有する。容積２２は、注入可能な、例えば液体樹脂を用いて充填され、本明細書で説明した組成物を含む素材２８を形成する。例えば２５秒未満から約２分未満の、速硬化性樹脂であるために、硬化するまでウエブ２０で樹脂を支持する必要がなく、特により速硬化性樹脂の場合には必要がない。本明細書で用いる油圧的に充填された、及び油圧的に満したという用語は、水分を含む異物が容積２２へ侵入することを妨害するように、蹄の蹄叉部３０を取り囲む及び被覆する面積を含む蹄足裏部１８に存在する実質的に全ての気孔、裂け目、及び間隙に液体樹脂素材２８を充填すること、並びに蹄足裏部１８からウエブ２０までの容積２２に充填することを言う。
【００３３】
素材２９を作成するために用いた樹脂は、望ましくは、容積２２に注入できる、好ましくは注入される高流動性液体であり、容積全体に広がり、その容積の全表面と接触し、気孔を消滅する方法でこのような表面に接着する。以下に引用する特許に教示された樹脂前駆体など、例えばサイドＡイソシアネートを含有する前駆体３４、及び通常は薬物を運搬するために用いられてウレタン樹脂を生成する、サイドＢポリオールを含有する樹脂前駆体３６などの、樹脂前駆体は、薬物４４とともに、ピストン及びシリンダーを備えたディスペンサー４６の複式カートリッジ３８、４２に別々にパッケージされる。この薬物は、前駆体の一つ、適切にはサイドＢ前駆体に添加され、かつ更に適切には、微細に分割された粉末又はスラリー型で添加される。二つの前駆体３４、３６は、人手圧力、コーキング式ガン又はその他の手段でそれぞれのカートリッジ３８、４２から圧出され、この圧出時にカートリッジに取り付けられた静的混合チップ４３内で激しく混合され、容積２２内に注入され、図１に示したように蹄底面壁１９上に堆積される。
【００３４】
得られたウレタン樹脂素材２８は、固体であり、泡形成材が無く、意図的に気孔を作成する気泡システムとは異なり、気孔及び空気のポケット又は硬化時のガスが存在しないであろう。樹脂素材２８は、その場で、即ちインシチューで硬化する。素材２８の流体品種の粘度は、容積２２への素材の組み込みが迅速に完了するように選択され、典型的にはせいぜい５から２０秒、通常は数分未満である。非流動性容積充填剤を用いる時に普通に行われる人手充填によるよりも、器具注入による組み込みが、容積２２全体に樹脂素材２８の迅速な分布、並びに蹄底面壁表面の気孔及び間隙の充填を可能にする。約２５，０００未満、好ましくは２，５００センチポアズ未満の粘度を用いることができ、水の粘度同様に低い粘度が有用である。この樹脂は、任意の種々の知られた熱可塑性樹脂又は熱硬化性樹脂であることができ、ウエブ下に注入する方法などにより組み込まれた時に低粘度であり、かつ急速にゲル化し又は実質的に固体粘度、例えば１００，０００センチポアズに硬化する本発明の基準を満足する、上にリストした樹脂などである。迅速な高粘度は、樹脂素材２８に容積２２から流出しない能力を与える。この粘度上昇は、１０から２０秒又は２５秒未満で起こることが好ましく、しかし、条件が許容し、かつ前記の取り扱い基準を満足することができるならば、その他の時間、２分まで又はそれ以上の時間を用いることができる。樹脂組成物は、複式カートリッジ容器にパッケージされることが便利であり、この樹脂は、静的混合機チップを通って放出、混合されて反応性混合物となり、容積２２に注入できる。十分にゲル化した状態に急速硬化させるために、触媒量は、所望する硬化時間に関係して選択されるべきであり、例えば２０秒硬化で適切にゲル化した状態を得るためには、５重量％のウレタン反応触媒が用いられ、最終硬化は翌日若しくはその程度にかけて起こる。
【００３５】
本明細書の好適なウレタン樹脂などの、樹脂は、当初は粘着性であることができるが、この粘着性は完全硬化時に失われる。上記した注入による組み込みの好ましい適用法は、粘着性になるかならないかは重要ではない。その理由は、ウエブを用いる場合には、予め施されたウエブ下に、樹脂を直接注入することができ、ウエブを用いない場合でも、人手又はスパチュラで接触する必要がない故である。
【００３６】
本明細書で有用な樹脂は、一種以上のイソシアネート、触媒、及び種々のポリオールから製造されたウレタン樹脂であり、米国特許第４，８６９，４００号、第６，００９，９５２号、第６，１３１，６６５号、及び第６，４１２，５６６号などに開示されており、この開示の全体を本明細書に援用する。望ましくは、素材２８は、蹄の蹄叉部３０及び蹄足裏部１８と接着し、それによりその場に保持される。加えて、樹脂素材の下にある蹄足裏部１８及び蹄叉部３０を目視検査できるように、樹脂素材を透明又は少なくとも十分に半透明にすることが望ましい。また、既にリストした樹脂に加えて、本発明の基準を満たすポリエステル、ビニル樹脂及びその他の樹脂を用いることができる。本明細書で用いる用語「硬化」は、熱硬化性又は熱可塑性型のいずれかの、樹脂前駆体の間の重合、又はその他の過程を意味し、それにより樹脂は、稀釈剤又は溶媒の消失も含めて、液体から固体状態に変化する。
【００３７】
一実施形態において、馬蹄の蹄叉腐爛を処置する本発明の方法は、異物が付着した蹄底面壁１９を洗浄すること、壁１９上に壁接着性、速硬化性の有機合成樹脂組成物を堆積させること、その際に有機合成樹脂組成物が、樹脂２８、及び壁接触のために示したように全体に分散された、組成物の硬化を妨害しない銅塩を含む少量かつ有効量の蹄叉腐爛薬物４４を含むものとする。樹脂組成物は、硬化前に蹄底面壁１９の輪郭に一致するように自由に流動する粘度をもち、蹄底面壁の容積２２中で、インシチューで固体素材２９に硬化する。蹄叉腐爛の処置において、硬化した樹脂素材２９は、処置の有効期間、例えば４から１０日後に除去される。硬化した樹脂素材２９の接着特性は、素材が連続して壁接触した状態で薬物とともにその場所に留まることを可能にし、かつ長い時間治療的に有効であることを可能にする。
【００３８】
説明したように、この実施形態及び以下の実施形態において、一般的には、薬物として、硫酸銅、特に硫酸銅五水塩などの水和型硫酸銅が典型的に選択され、薬物４４として樹脂サイドＢ前駆体及び試薬３６に組み込まれる。薬物は、微粉末として、かつ硬化した樹脂素材２９中に約０．５から５重量％を供給する濃度で有用に添加される。この薬物は、二成分樹脂例えばウレタン樹脂２８を選択することにより分散され、かつ薬物４４を樹脂の一成分中に組み込み、ディスペンサー４６のカートリッジ３８、４２から供給された二樹脂成分を混合する時、樹脂組成物中に分散される。有効な組成物２８は、約１〜３重量％の銅塩薬物４４を樹脂中に分散させること、例えば樹脂として二成分樹脂（サイドＡ、サイドＢ）を選択し、かつ薬物を樹脂の一成分に組み込んで、二樹脂成分を混合した時に樹脂組成物に分散されることにより作成される。
【００３９】
蹄叉腐爛の馬蹄を処置する本発明の方法は、異物が付着した蹄底面壁１９を洗浄すること、接着性、速硬化性のウレタン樹脂組成物２８を蹄底面壁上に堆積させることを含むものであり、その際このウレタン樹脂組成物が、二成分ウレタン樹脂前駆体３４、３６、並びに壁接触のために、少なくとも一成分に分散された、適切に粉末化された又はスラリー化された、かつ樹脂組成物の硬化を妨害しない銅塩を含有する少量かつ有効量の薬物４４、即ち、前駆体間の反応を不当に制限しない又は限定しない、又は適正な樹脂生成を阻害しない薬物４４を含むものとする。前駆体３４、３６を混合する時、樹脂組成物２８は、硬化前に蹄底面壁１９の輪郭に一致するように自由に流動する粘度を有する。樹脂２８は、蹄底面壁の容積２２で、インシチューで固体２９に硬化され、その後、処置の有効期間後に除去される。
【００４０】
この実施形態及び同様な実施形態において、典型的には、この方法は、分離したカートリッジ３８、４２から樹脂二成分３４、３６を組み合わせ、かつ蹄底面壁の容積２２内に注入する。容積２２は開口部２３を有する。したがって、この方法は、容積開口部２３を横切って、ウエブ２０を固定すること、その後に、ウエブ下の容積２２に合成樹脂成分３４、３６を注入し、かつ硬化させ、水分排除の関係で、ウレタン樹脂組成物素材２９を、蹄底面壁１９に自己接着させることを含む。この発明は、蹄内組成物素材２９の硬化において水分抑制に対して、ウレタン樹脂組成物２８中に吸湿量の銅塩（例えば、本明細書に記載した薬物４４）を保持することを可能にする。
【００４１】
したがって、水分反応性ウレタン樹脂組成物２８を用いて、蹄叉腐爛の馬蹄１０を処置する本発明の方法は、異物が付着した蹄底面壁１９を洗浄すること、接着性、速硬化性のウレタン樹脂組成物２８を蹄底面壁上に堆積させることを含むものであり、その際このウレタン樹脂組成物が、二成分ウレタン樹脂前駆体３４、３６、並びに壁接触のために、少なくともこれらの成分の一つに分散された、少量かつ有効量の補助剤４８、例えば硫酸銅を含むものとする。この補助剤４８は、ウレタン樹脂組成物２８の水分反応に対して吸湿性であり、かつ前駆体の混合時に樹脂組成物の硬化を妨害しない蹄叉腐爛薬物４４を含む。樹脂組成物２８は、硬化前に蹄底面壁１９の輪郭に一致するように自由に流動する粘度を有する。次に、樹脂組成物２８は、蹄底面壁の容積２２で、インシチューで固体素材２９に硬化される。
【００４２】
より詳細には、開放容積２２を形成した蹄底面壁１９を有する馬蹄の蹄叉腐爛を処置する本発明の方法は、一対のカートリッジ３８、４２から別々の反応性ウレタン樹脂成分３４、３６を静的混合機４３で組み合わせること、成分の組み合わせ中に成分の一つに有効量の蹄叉腐爛薬物４４を保持すること、馬の蹄底面壁を被覆するために適した量の速硬化性ウレタン樹脂２８を作成すること、ウレタン樹脂を蹄底面壁の輪郭に一致させること、インシチューでウレタン樹脂を硬化させて素材２９を得ること、及びウレタン樹脂素材２９及び薬物４４を除去すること含む。
【００４３】
本発明は、蹄１０及び蹄底面壁１９、並びに固体有機合成樹脂組成物２９、例えばウレタン樹脂、を含む蹄叉腐爛を処置した馬の蹄を提供する。この有機合成樹脂組成物は、密接にかつ均質に、それによって分布した少量かつ治療的に有効量の抗蹄叉腐爛薬物４４であって、蹄底面壁に一致しかつ接着した蹄叉腐爛薬物を含む。
【００４４】
本発明の蹄叉腐爛処置製品の実施形態は、蹄底面壁１９を有する馬蹄１０に適用するための蹄叉腐爛処置を含み、この処置は、それによって分布された少量かつ治療的に有効量の、蹄底面壁に一致されかつ接着される抗蹄叉腐爛薬物４４を含有する有機合成樹脂組成物２８を、場合により、蹄に固定されかつ樹脂素材２９に接着されたウエブ２０と組み合わせて含む。
【００４５】
更に詳細に述べると、この蹄叉腐爛を処置する製品は、別々のカートリッジ３８、４２中に、混合時に反応して有機合成樹脂素材２９になる別々の成分３４、３６（但し、この成分の一つは少量かつ有効量の抗蹄叉腐爛薬物４４を更に含むものとする）、及び混合チップ４３などの混合系を含む。この混合系は、接着の関係で、底面壁の表面に実質的に一致しかつ空間を充填するために適した粘度で馬の蹄底面壁１９に隣接して成分及び薬物を均一に混合する。
【００４６】
本発明の蹄叉腐爛処置システムは、反応比率で混合される別々にパッケージされた樹脂前駆体３４、３６、及び前駆体の反応を妨害しない、少量かつ治療的に有効量の抗蹄叉腐爛薬物４４を含み、この薬物は予備混合の関係で前駆体に分散されている。
【実施例１】
【００４７】
複式カートリッジディスペンサーから計量分配して、２つの等容量としてパッケージされた、表に示した成分Ａ、成分Ｂウレタン樹脂前駆体の反応性混合物から、約１重量％の硫酸銅薬物を含有する速ゲル化性、低硬度ゲルが調製された。このディスペンサーでは、通常のヨークが別々の反応性成分を、マニホールドを通して混合チップ内に押出す。このチップには、一連のバッフルが配置されていて、混合される材料が混合チップを通って進むにつれて、カットされ、再結合される。
【００４８】
【表１】
2008538528.tif 000002
【００４９】
Ｉｓｏｎａｔｅ２４１３Ｌ以外のサイドＡ前駆体成分が、適切な容器内で一緒に混合され、次に、Ｉｓｏｎａｔｅ２４１３Ｌが混合され、得られた前駆体混合物は二室式ディスペンサーの一番目の室に入れられた。サイドＡ組成物の粘度は、約２５℃で約１，０００〜２，０００センチポアズの範囲であった。サイドＢのステップ１の成分が一緒に混合され、次に、ステップ２及び３の成分が添加され、混合物は二室式ディスペンサーの二番目の室に入れられた。サイドＢ組成物の粘度は、約２５℃で約８００〜２，０００センチポアズの範囲であった。一般的に、しかし必ずしも必要ではないが、サイドＡ及びサイドＢの組成物は、上記のように、１：１で混合された時、反応してウレタンポリマーになり、従来の１：１の二室式カートリッジから計量分配するために理想的組成物となる。その他の比率を用いることができるが、これは便利ではなく、かつ要求されるカートリッジディスペンサー、例えば２：１はよりコストが掛かる。
【００５０】
実施例１の組成物を用いて、二室式ディスペンサーの両室の内容物を通常の混合チップを通して同時に吐出させることにより厳しいせん断条件下で密接に混合して、蹄パッド下の蹄により限定された容積内に注入し、蹄の蹄叉腐爛処置を行った。注入は約５秒間であった。同様な粘度、及び１：１の混合比率の実施例１組成物は、パッケージ及び計量分配を容易にした。両サイドが最初に混合チップ内で反応して低粘度となり、更に蹄底面壁の間隙に流入して、間隙を充填し、次に、蹄底面壁上の蹄容積内で完全に反応して固体になる。低粘度の混合された成分は、蹄壁の小間隙に容易かつ迅速な充填を可能にする。しかし、約８から１２秒の作業時間後、この混合物は、約２０秒以内にきわめて急速にゲル化する。それ故、混合物は蹄容積内に配置された状態で留まる。この組成物は蹄壁に接着して、落下すること、又ははみ出すことがないので、装蹄師は、短いゲル化時間後に蹄を下ろすことができる。この組成物は、固体であり、かつ気孔、細胞性及び発泡構造がなく、かつ硫酸塩或いはその他の微生物薬又は薬物を蹄叉腐爛の状態を改善する量で蹄壁に接触して供給され、典型的には約４日で治療（蹄叉腐爛の除去）を行ない、その間に薬物が蹄叉腐爛に罹った蹄壁領域に連続して計量供給される。次に、樹脂の栓が除去され、従来の蹄充填剤と置き換えられる。完全にゲル化した組成物の典型的な硬度値は、室温でショアＡ４０から８０の範囲であり、付随的であるが、発泡組成物ではなくとも、蹄を衝撃から護る。
【実施例２】
【００５１】
４重量部の硫酸銅を用いて、実施例１を反復するが、一方、Ｍｕｌｔｒａｎｏｌ含有量を減量して組成物中に１００部を維持する。蹄叉腐爛の減少を４日の試験期間にわたって比較し、より早く作用することができる。
【実施例３】
【００５２】
１０重量部の硫酸銅（組成物の５重量％）を用いて、実施例１を反復するが、一方、Ｍｕｌｔｒａｎｏｌ含有量を減量して組成物中に１００部を維持する。蹄叉腐爛の減少を４日の試験期間にわたって比較し、前の実施例より、同様により早く作用する。
【００５３】
したがって、本発明は、薬物を本体に組み込んだ蹄底面壁被覆材料によって患部に保持された薬物で、馬蹄の蹄叉腐爛状態を処置することによる、有蹄動物、特に馬の健康を改善する製品、及び方法を提供する。この薬物は、薬物としても機能する吸湿性補助剤により被覆材料の水分を除去する。この薬物は、材料の別々の反応性前駆体成分、及び同様に薬物を含有する複式カートリッジから、薬物変性流体樹脂を患部に送る。その結果、粒状の薬物、典型的には硫酸塩と均質に混合された被覆材料を有する蹄叉腐爛を処置した馬の蹄を提供する。その際この薬物は、蹄叉腐爛状態が蹄被覆材料と蹄底面壁の間の接着を妨害することなく処置されるような量及び位置に、移行し、滲出し、析出し、又はさもなければ、蹄底面壁と蹄底面壁被覆の界面に出現する。本発明の蹄叉腐爛処置剤及び製品は、有機合成樹脂マトリックス、及びそれに分布された少量かつ治療的に有効な、約０．５から約５重量％で水和型硫酸銅などの抗蹄叉腐爛薬物を用いる。この樹脂マトリックス、典型的にはウレタン樹脂は、蹄叉腐爛状態に近接して機能する位置で、蹄底面壁に一致させられる。この蹄叉腐爛処理システムは、反応比率で混合される別々にパッケージされた樹脂前駆体、及び前駆体の反応又は蹄底面壁に対する樹脂製品の接着を妨害しない治療薬を含有する。治療薬は、治療薬を混入した蹄充填法及び蹄充填製品を供給するように、予備混合の関係で前駆体に分散されている。この蹄充填製品は、蹄底面壁上の蹄容積及びその間隙に容易かつ迅速に流入し、その後ほぼ瞬間的に固く幾分弾性のある素材に固化する。この素材は、素材の損失又は異物の侵入に対抗して蹄容積壁に接着して、蹄叉腐爛に対する蹄ホストを常に処置する。前記の目的は、このようにして満たされた。
【図面の簡単な説明】
【００５４】
【図１】蹄叉腐爛を処置する馬の蹄の説明図である。
【図１】
2008538528.tif 000004
【手続補正書】
【提出日】平成19年9月28日(2007.9.28)
【手続補正１】
【補正対象書類名】特許請求の範囲
【補正対象項目名】全文
【補正方法】変更
【補正の内容】
【特許請求の範囲】
【請求項１】
蹄底面壁を有する馬の蹄に適用するための蹄叉腐爛処置剤製品であって、蹄壁との接触を続けるために全体に分散させた、少量かつ治療的に有効量の抗蹄叉腐爛薬物を含有し、並びに前記蹄底面壁に一致し、かつそれに接着する有機合成樹脂組成物を含む製品。
【請求項２】
前駆体の一つが、前記少量かつ治療的に有効量の抗蹄叉腐爛薬物を含む前記蹄叉腐爛処置剤、並びに前記前駆体及び前記薬物を均一に混合して、馬の蹄底面壁に相接して前記蹄叉腐爛処置剤を提供し、かつ接着関係で底面壁の表面に実質的に一致し、かつその間隙を実質的に充填するために適した粘度を提供する混合体系を含む、請求項１に記載の蹄叉腐爛処置剤製品。
【請求項３】
蹄叉腐爛処置剤製品であって、反応比率で混合される別々にパッケージされた樹脂前駆体、及び前記前駆体の反応を妨害しない少量かつ治療的に有効量の抗蹄叉腐爛薬物を含み、前記薬物が予備混合の関係で前駆体に分散された製品。
【請求項４】
前記有機合成樹脂組成物が、アクリル、エポキシ、ポリ硫化物、シリコーン又はウレタン樹脂を含む請求項１から３の任意の一項記載の蹄叉腐爛処置剤製品。
【請求項５】
前記抗蹄叉腐爛薬物が硫酸銅を含む請求項１から３の任意の一項に記載の蹄叉腐爛を処置する製品。
【請求項６】
前記薬物が、硫酸銅を含み、かつ前記処置剤中に約０．５から５重量％の少量かつ治療的に有効量で存在する請求項１から３の任意の一項に記載の蹄叉腐爛処置剤製品。
【請求項７】
前記薬物が、水和型硫酸銅を含む請求項１から３の任意の一項に記載の蹄叉腐爛処置剤製品。
【請求項８】
前記水和型硫酸銅が、硫酸銅五水塩を含む請求項１から３の任意の一項に記載の蹄叉腐爛を処置する製品。
【請求項９】
前記水和型硫酸銅が、硫酸銅五水塩を含み、かつ前記処置剤中に約１〜３重量％の少量かつ治療的に有効量で存在する請求項１から３の任意の一項に記載の蹄叉腐爛処置剤製品。
【請求項１０】
蹄叉腐爛処置剤製品の製造方法であって、混合時に反応して有機合成樹脂を形成する反応比率で、第一の製品前駆体と第二の製品前駆体を混合すること、その際前記前駆体の一つが、前記前駆体の反応を妨害しない、少量かつ治療的に有効量の抗蹄叉腐爛薬物を分散状態で保持すること、蹄叉腐爛状態でかつ抗蹄叉腐爛薬物が施されていない蹄に、前記前駆体を適用すること、前記蹄上でインシチューで前記前駆体を反応させること、及び前記有機合成樹脂中に分散された前記薬物を蹄叉腐爛状態の前記蹄と接触させることを含む方法。
【請求項１１】
以下のサイドＡ及びサイドＢ前駆体の反応生成物を含む蹄叉腐爛を処置する組成物。
【表１】
2008538528.tif 000005
【国際調査報告】
2008538528.tif 000006